【手続補正書】
【提出日】平成28年5月2日(2016.5.2)
【手続補正１】
【補正対象書類名】明細書
【補正対象項目名】０００１
【補正方法】変更
【補正の内容】
【０００１】
本発明は、情報処理装置、情報処理システム、その制御方法及びプログラムに関する。
【手続補正２】
【補正対象書類名】明細書
【補正対象項目名】０００７
【補正方法】変更
【補正の内容】
【０００７】
本発明は、アルバムに配置する画像のうち選択された画像データの被写体の情報に基づいて、選択された画像データと入れ替える候補の画像データをユーザに提示する仕組みを提供することを目的とする。
【手続補正３】
【補正対象書類名】明細書
【補正対象項目名】０００８
【補正方法】変更
【補正の内容】
【０００８】
本発明は、複数の画像データと当該画像データの被写体の数を含む情報を記憶する記憶手段を備える情報処理装置であって、アルバムに配置する画像データを決定する決定手段と、前記決定手段でアルバムに配置されることが決定される画像データにおける被写体ごとの数に基づいて、当該アルバムにおける被写体にかかる値を特定する値特定手段と、前記決定手段によりアルバムに配置されることが決定されている画像データの選択を受け付ける画像データ選択受付手段と、前記アルバムに配置することが決定されていない画像データの中から、前記画像データ選択受付手段により選択を受け付けた画像データと入れ替えることにより前記アルバムにおける被写体にかかる値が基準値に近付く被写体の画像データを、入れ替え候補である候補画像データとして特定する特定手段と、前記特定手段で特定した前記候補画像データを、前記画像データ選択受付手段で選択を受け付けた画像データと入れ替え可能に表示する表示手段と、を備えることを特徴とする。
【手続補正４】
【補正対象書類名】明細書
【補正対象項目名】０００９
【補正方法】変更
【補正の内容】
【０００９】
本発明によれば、アルバムに配置する画像のうち選択された画像データの被写体の情報に基づいて、選択された画像データと入れ替える候補の画像データをユーザに提示することができる。
【手続補正５】
【補正対象書類名】特許請求の範囲
【補正対象項目名】全文
【補正方法】変更
【補正の内容】
【特許請求の範囲】
【請求項１】
複数の画像データと当該画像データの被写体の数を含む情報を記憶する記憶手段を備える情報処理装置であって、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段と、
前記決定手段によりアルバムに配置されることが決定されている画像データの選択を受け付ける画像データ選択受付手段と、
前記アルバムに配置することが決定されていない画像データの中から、前記画像データ選択受付手段により選択を受け付けた画像データと入れ替えることにより前記アルバムにおける被写体にかかる値が基準値に近付く被写体の画像データを、入れ替え候補である候補画像データとして特定する特定手段と、
前記特定手段で特定した前記候補画像データを、前記画像データ選択受付手段で選択を受け付けた画像データと入れ替え可能に表示する表示手段と、
を備えることを特徴とする情報処理装置。
【請求項２】
前記基準値は、前記アルバムに配置された複数の画像データにおける複数の被写体の写真写りがより平等であることを示す値であって、
前記値特定手段は、前記アルバムに配置されている複数の画像データにおける複数の被写体の写真写りの平等性のスコアを算出して特定し、また、前記画像データ選択受付手段と前記アルバムに配置することが決定されていない画像とを入れ替えてアルバムに配置した場合における当該アルバムの中の被写体ごとの写真写りの平等性のスコアを算出して特定し、
前記特定手段は、前記値特定手段で特定された複数の平等性のスコアを比較した結果、当該スコアがより前記基準値に近付くスコアを示す画像データを、前記候補画像データとして特定することを特徴とする請求項１に記載の情報処理装置。
【請求項３】
前記表示手段は、前記決定手段でアルバムに配置することが決定されていない画像データのうち、前記候補画像データを識別可能に表示することを特徴とする請求項１又は２に記載の情報処理装置。
【請求項４】
前記表示手段は、前記決定手段でアルバムに配置することが決定されていない画像データを、前記画像データ選択受付手段により選択された画像データと入れ替えた場合の前記被写体にかかる値が基準値に近い順に表示画面に表示することを特徴とする請求項１又は２に記載の情報処理装置。
【請求項５】
前記決定手段は、前記候補画像データの選択を受け付けた場合に、当該選択を受け付けた候補画像データを、既にアルバムに配置することが決定されている画像データのうち前記画像データ選択受付手段により選択中の画像データと入れ替えて配置することを決定することを特徴とする請求項１乃至４のいずれか１項に記載の情報処理装置。
【請求項６】
前記候補画像データ上からトリミングする領域の指定を受け付ける指定受付手段と、
を備え、
前記決定手段は、当該指定受付手段で指定を受け付けた場合であって、前記画像データ選択受付手段により選択中の画像データとの入れ替え操作を受け付けた場合に、前記指定受付手段により指定された領域の画像データを、前記画像データ選択受付手段により選択中の画像データとを入れ替えて配置する画像データとして決定することを特徴とする請求項１乃至５のいずれか１項に記載の情報処理装置。
【請求項７】
前記指定受付手段は、前記画像データ選択受付手段で選択を受け付けた画像データの被写体と同じ被写体の写る領域をトリミングする領域として指定することを特徴とする請求項６項に記載の情報処理装置。
【請求項８】
複数の画像データと当該画像データの被写体の数を含む情報を記憶する記憶手段を備える情報処理装置の制御方法であって、
アルバムに配置する画像データを決定する決定工程と、
前記決定工程でアルバムに配置されることが決定される画像データにおける被写体ごとの数に基づいて、当該アルバムにおける被写体にかかる値を特定する値特定工程と、
前記決定工程によりアルバムに配置されることが決定されている画像データの選択を受け付ける画像データ選択受付工程と、
前記アルバムに配置することが決定されていない画像データの中から、前記画像データ選択受付工程により選択を受け付けた画像データと入れ替えることにより前記アルバムにおける被写体にかかる値が基準値に近付く被写体の画像データを、入れ替え候補である候補画像データとして特定する特定工程と、
前記特定工程で特定した前記候補画像データを、前記画像データ選択受付工程で選択を受け付けた画像データと入れ替え可能に表示する表示工程と
を含むことを特徴とする情報処理装置の制御方法。
【請求項９】
複数の画像データと当該画像データの被写体の数を含む情報を記憶する記憶手段を備える情報処理装置で実行が可能なプログラムであって、
前記情報処理装置を、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段と、
前記決定手段によりアルバムに配置されることが決定されている画像データの選択を受け付ける画像データ選択受付手段と、
前記アルバムに配置することが決定されていない画像データの中から、前記画像データ選択受付手段により選択を受け付けた画像データと入れ替えることにより前記アルバムにおける被写体にかかる値が基準値に近付く被写体の画像データを、入れ替え候補である候補画像データとして特定する特定手段と、
前記特定手段で特定した前記候補画像データを、前記画像データ選択受付手段で選択を受け付けた画像データと入れ替え可能に表示する表示手段として機能させることを特徴とする情報処理装置のプログラム。
【請求項１０】
クライアント装置と、複数の画像データと当該画像データの被写体の数を含む情報を記憶する記憶手段を備えた情報処理装置とを含む情報処理システムであって、
前記情報処理装置は、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段と、
を備え、
前記クライアント装置は、
前記決定手段によりアルバムに配置されることが決定されている画像データの選択を受け付ける画像データ選択受付手段と、
を備え、
前記情報処理装置は、さらに、
前記アルバムに配置することが決定されていない画像データの中から、前記画像データ選択受付手段により選択を受け付けた画像データと入れ替えることにより前記アルバムにおける被写体にかかる値が基準値に近付く被写体の画像データを、入れ替え候補である候補画像データとして特定する特定手段と、
を備え、
前記クライアント装置は、さらに、
前記特定手段で特定した前記候補画像データを、前記画像データ選択受付手段で選択を受け付けた画像データと入れ替え可能に表示する表示手段と、
を備えることを特徴とする情報処理システム。
【請求項１１】
クライアント装置と、複数の画像データと当該画像データの被写体の数を含む情報を記憶する記憶手段を備えた情報処理装置とを含む情報処理システムの制御方法であって、
前記情報処理装置において、
アルバムに配置する画像データを決定する決定工程と、
前記決定工程でアルバムに配置されることが決定される画像データにおける被写体ごとの数に基づいて、当該アルバムにおける被写体にかかる値を特定する値特定工程と、
を含み、
前記クライアント装置において、
前記決定工程によりアルバムに配置されることが決定されている画像データの選択を受け付ける画像データ選択受付工程と、
を含み、
前記情報処理装置において、さらに、
前記アルバムに配置することが決定されていない画像データの中から、前記画像データ選択受付工程により選択を受け付けた画像データと入れ替えることにより前記アルバムにおける被写体にかかる値が基準値に近付く被写体の画像データを、入れ替え候補である候補画像データとして特定する特定工程と、
を含み、
前記クライアント装置において、さらに、
前記特定工程で特定した前記候補画像データを、前記画像データ選択受付工程で選択を受け付けた画像データと入れ替え可能に表示する表示工程と、
を含むことを特徴とする情報処理システムの制御方法。
【請求項１２】
クライアント装置と、複数の画像データと当該画像データの被写体の数を含む情報を記憶する記憶手段を備えた情報処理装置とを含む情報処理システムを制御するプログラムであって、
前記情報処理装置を、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段として機能させ、
前記クライアント装置を、
前記決定手段によりアルバムに配置されることが決定されている画像データの選択を受け付ける画像データ選択受付手段として機能させ、
前記情報処理装置を、さらに、
前記アルバムに配置することが決定されていない画像データの中から、前記画像データ選択受付手段により選択を受け付けた画像データと入れ替えることにより前記アルバムにおける被写体にかかる値が基準値に近付く被写体の画像データを、入れ替え候補である候補画像データとして特定する特定手段として機能させ、
前記クライアント装置を、さらに、
前記特定手段で特定した前記候補画像データを、前記画像データ選択受付手段で選択を受け付けた画像データと入れ替え可能に表示する表示手段として機能させることを特徴とする情報処理システムのプログラム。
【請求項１３】
複数の画像データと当該画像データの被写体の数を含む情報を記憶する記憶手段を備える情報処理装置であって、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段と、
前記決定手段によりまだアルバムに配置することが決定されていない画像データの選択を受け付ける未配置画像データ選択受付手段と、
前記アルバムに配置することが決定されている画像データの中から、前記未配置画像データ選択受付手段により選択を受け付けた画像データと入れ替えることにより前記アルバムにおける被写体にかかる値が基準値に近付く被写体の画像データを、入れ替え候補である候補画像データとして特定する特定手段と、
前記特定手段で特定した前記候補画像データを、前記未配置画像データ選択受付手段で選択を受け付けた画像データと入れ替え可能に表示する表示手段と、
を備えることを特徴とする情報処理装置。
【請求項１４】
複数の画像データと当該画像データの被写体の数を含む情報を記憶する記憶手段を備える情報処理装置の制御方法であって、
アルバムに配置する画像データを決定する決定工程と、
前記決定工程でアルバムに配置されることが決定される画像データにおける被写体ごとの数に基づいて、当該アルバムにおける被写体にかかる値を特定する値特定工程と、
前記決定工程によりまだアルバムに配置することが決定されていない画像データの選択を受け付ける未配置画像データ選択受付工程と、
前記アルバムに配置することが決定されている画像データの中から、前記未配置画像データ選択受付工程により選択を受け付けた画像データと入れ替えることにより前記アルバムにおける被写体にかかる値が基準値に近付く被写体の画像データを、入れ替え候補である候補画像データとして特定する特定工程と、
前記特定工程で特定した前記候補画像データを、前記未配置画像データ選択受付工程で選択を受け付けた画像データと入れ替え可能に表示する表示工程と、
を含むことを特徴とする情報処理装置の制御方法。
【請求項１５】
複数の画像データと当該画像データの被写体の数を含む情報を記憶する記憶手段を備える情報処理装置で実行が可能なプログラムであって、
前記情報処理装置を、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段と、
前記決定手段によりまだアルバムに配置することが決定されていない画像データの選択を受け付ける未配置画像データ選択受付手段と、
前記アルバムに配置することが決定されている画像データの中から、前記未配置画像データ選択受付手段により選択を受け付けた画像データと入れ替えることにより前記アルバムにおける被写体にかかる値が基準値に近付く被写体の画像データを、入れ替え候補である候補画像データとして特定する特定手段と、
前記特定手段で特定した前記候補画像データを、前記未配置画像データ選択受付手段で選択を受け付けた画像データと入れ替え可能に表示する表示手段として機能させることを特徴とする情報処理装置のプログラム。
【請求項１６】
クライアント装置と、複数の画像データと当該画像データの被写体の数を含む情報を記憶する記憶手段を備えた情報処理装置とを含む情報処理システムであって、
前記情報処理装置は、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段と、
を備え、
前記クライアント装置は、
前記決定手段によりまだアルバムに配置することが決定されていない画像データの選択を受け付ける未配置画像データ選択受付手段と、
を備え、
前記情報処理装置は、さらに、
前記アルバムに配置することが決定されている画像データの中から、前記未配置画像データ選択受付手段により選択を受け付けた画像データと入れ替えることにより前記アルバムにおける被写体にかかる値が基準値に近付く被写体の画像データを、入れ替え候補である候補画像データとして特定する特定手段と、
を備え、
前記クライアント装置は、さらに、
前記特定手段で特定した前記候補画像データを、前記未配置画像データ選択受付手段で選択を受け付けた画像データと入れ替え可能に表示する表示手段と、
を備えることを特徴とする情報処理システム。
【請求項１７】
クライアント装置と、複数の画像データと当該画像データの被写体の数を含む情報を記憶する記憶手段を備えた情報処理装置とを含む情報処理システムの制御方法であって、
前記情報処理装置において、
アルバムに配置する画像データを決定する決定工程と、
前記決定工程でアルバムに配置されることが決定される画像データにおける被写体ごとの数に基づいて、当該アルバムにおける被写体にかかる値を特定する値特定工程と、
を含み、
前記クライアント装置において、
前記決定工程によりまだアルバムに配置することが決定されていない画像データの選択を受け付ける未配置画像データ選択受付工程と、
を含み、
前記情報処理装置において、さらに、
前記アルバムに配置することが決定されている画像データの中から、前記未配置画像データ選択受付工程により選択を受け付けた画像データと入れ替えることにより前記アルバムにおける被写体にかかる値が基準値に近付く被写体の画像データを、入れ替え候補である候補画像データとして特定する特定工程と、
を含み、
前記クライアント装置において、さらに、
前記特定工程で特定した前記候補画像データを、前記未配置画像データ選択受付工程で選択を受け付けた画像データと入れ替え可能に表示する表示工程と、
を含むことを特徴とする情報処理システムの制御方法。
【請求項１８】
クライアント装置と、複数の画像データと当該画像データの被写体の数を含む情報を記憶する記憶手段を備えた情報処理装置とを含む情報処理システムを制御するプログラムであって、
前記情報処理装置を、
アルバムに配置する画像データを決定する決定手段と、
前記決定手段でアルバムに配置されることが決定される画像データにおける被写体ごとの数に基づいて、当該アルバムにおける被写体にかかる値を特定する値特定手段として機能させ、
前記クライアント装置を、
前記決定手段によりまだアルバムに配置することが決定されていない画像データの選択を受け付ける未配置画像データ選択受付手段として機能させ、
前記情報処理装置を、さらに、
前記アルバムに配置することが決定されている画像データの中から、前記未配置画像データ選択受付手段により選択を受け付けた画像データと入れ替えることにより前記アルバムにおける被写体にかかる値が基準値に近付く被写体の画像データを、入れ替え候補である候補画像データとして特定する特定手段として機能させ、
前記クライアント装置を、さらに、
前記特定手段で特定した前記候補画像データを、前記未配置画像データ選択受付手段で選択を受け付けた画像データと入れ替え可能に表示する表示手段として機能させることを特徴とする情報処理システムのプログラム。